(57)【要約】【課題】ユーザにとっての割引サービス利用の利益がより大きくなるよう、ユーザが有料道路を利用できるように支援する「車載システム」を提供する。【解決手段】現在地点Ｘから、ユーザが設定した経由地Ｙを経由してユーザが設定した目的地Ｚに至る推奨ルート上にある、有料道路５００の区間Ａと区間Ｂの双方において、ＥＴＣシステムの利用者に対して提供される割引サービスの割引が排他的に利用可能な場合、より割引金額が大きくなる区間Ｂを割引利用区間とし、残る区間Ａを割引非利用区間として設定する。そして、割引非利用区間の始点である入り口ゲートＡに接近した時点で、ＥＴＣ車載機１１の機能を停止する。また、割引非利用区間の終点である出口ゲートＢを通過したならば、ＥＴＣ車載機１１の機能を再稼働する。【選択図】図５
2007249628.tif 000002
【特許請求の範囲】
【請求項１】
自動車に搭載される車載システムであって、
ＥＴＣシステムを利用した有料道路の利用料金の自動支払いを行うＥＴＣ車載機と、
自車が走行すると予測される経路上に、ＥＴＣシステムの利用者に対して提供される割引サービスによる割引であって、前記経路の走行に際して前記ＥＴＣ車載機による自動支払いを行った場合に当該割引の適用条件を満たす割引が設定されている有料道路区間が複数存在し、かつ、当該複数の有料道路区間に設定されている割引が重複して適用を受けることができないものであった場合に、適用を受ける割引による割引額が最大となるように、前記複数の有料道路区間のうちから前記割引の適用を受ける有料道路区間を割引利用区間として選定し、前記複数の有料道路区間のうちの前記割引利用区間以外の有料道路区間を割引非利用区間に設定する割引非利用区間設定手段と、
前記割引非利用区間についての利用料金の自動支払いを行わないよう前記ＥＴＣ車載機を制御するＥＴＣシステム利用制限手段とを有することを特徴とする車載システム。
【請求項２】
自動車に搭載される車載システムであって、
利用料金について適用を受けることのできる割引の適用の有無を当該利用料金の自動支払いに際して選択できるＥＴＣシステムを利用した、前記自動支払いを行うＥＴＣ車載機と、
自車が走行すると予測される経路上に、ＥＴＣシステムの利用者に対して提供される割引サービスによる割引であって、前記経路の走行に際して前記ＥＴＣ車載機による自動支払いを行った場合に当該割引の適用条件を満たす割引が設定されている有料道路区間が複数存在し、かつ、当該複数の有料道路区間に設定されている割引が重複して適用を受けることができないものであった場合に、ユーザの操作に応じて、前記複数の有料道路区間のうちから前記割引の適用を受けない有料道路区間を選定して割引非利用区間に設定する割引非利用区間設定手段と、
前記割引非利用区間についての利用料金の自動支払いを行わないよう前記ＥＴＣ車載機を制御するＥＴＣシステム利用制限手段とを有することを特徴とする車載システム。
【請求項３】
請求項１または２記載の車載システムであって、
前記ＥＴＣシステム利用制限手段は、前記割引非利用区間についての利用料金の自動支払いを行う場合に、前記ＥＴＣ車載機が当該自動支払いの処理のための情報の送受を行うことになるゲートの通過の際に、前記ＥＴＣ車載機の機能が停止しているように、当該ＥＴＣ車載機の機能の停止/非停止を制御することを特徴とする車載システム。
【請求項４】
請求項１、２または３記載の車載システムであって、
前記割引非利用区間についての利用料金の自動支払いに用いられる情報をＥＴＣ車載機との間で送受する有料道路のゲートに接近した際に、ＥＴＣシステムの非利用者が使用することのできるレーンを使用するようにユーザを誘導するレーン誘導手段を有することを特徴とする車載システム。
【請求項５】
自動車に搭載される車載システムであって、
ＥＴＣシステムを利用した有料道路の利用料金の自動支払いを行うＥＴＣ車載機と、
自車が走行すると予測される経路上に、ＥＴＣシステムの利用者に対して提供される割引サービスによる割引であって、前記経路の走行に際して前記ＥＴＣ車載機による自動支払いを行った場合に当該割引の適用条件を満たす割引が設定されている有料道路区間が複数存在し、かつ、当該複数の有料道路区間に設定されている割引が重複して適用を受けることができないものであった場合に、適用を受ける割引による割引額が最大となるように、前記複数の有料道路区間のうちから前記割引の適用を受ける有料道路区間を割引利用区間として選定し、前記複数の有料道路区間のうちの前記割引利用区間以外の有料道路区間を割引非利用区間に設定する割引非利用区間設定手段と、
前記割引非利用区間についての割引の適用を受けないように前記ＥＴＣ車載機を制御する割引利用制限手段とを有することを特徴とする車載システム。
【請求項６】
自動車に搭載される車載システムであって、
ＥＴＣシステムを利用した有料道路の利用料金の自動支払いを行うＥＴＣ車載機と、
自車が走行すると予測される経路上に、ＥＴＣシステムの利用者に対して提供される割引サービスによる割引であって、前記経路の走行に際して前記ＥＴＣ車載機による自動支払いを行った場合に当該割引の適用条件を満たす割引が設定されている有料道路区間が複数存在し、かつ、当該複数の有料道路区間に設定されている割引が重複して適用を受けることができないものであった場合に、ユーザの操作に応じて、前記複数の有料道路区間のうちから前記割引の適用を受けない有料道路区間を選定して割引非利用区間に設定する割引非利用区間設定手段と、
前記割引非利用区間についての割引の適用を受けないように前記ＥＴＣ車載機を制御する割引利用制限手段とを有することを特徴とする車載システム。
【請求項７】
請求項１、２、３、４、５または６記載の車載システムであって、
ユーザによって選定された目的地までの推奨される経路を推奨ルートとして設定し、推奨ルートに従ったユーザの走行を案内するナビゲーション装置を有し、
前記自車が走行すると予測される経路は、前記推奨ルートとして設定された経路であることを特徴とする車載システム。
【請求項８】
請求項４または５記載の車載システムと、前記ＥＴＣ車載機から前記自動支払いを受ける路側システムとを有するＥＴＣシステムであって、
前記車載システムの割引利用制限手段は、前記ＥＴＣ車載機が前記割引非利用区間についての前記自動支払いの処理のための情報の送受を前記路側システムと行う際に割引非利用モードを設定し、
前記車載システムの前記ＥＴＣ車載機は、割引非利用モードが設定されている場合、前記路側システムに、前記割引非利用区間についての前記自動支払いのための情報の送受に際して割引の適用拒否を通知し、
前記路側システムは、前記車載システムの前記ＥＴＣ車載機から前記有料道路の自動支払いを受ける際に、当該ＥＴＣ車載機から当該自動支払いのための情報の送受において割引の適用拒否を通知されている場合には、当該ＥＴＣ車載機からの割引を適用しない利用料金の自動支払いを受け、当該ＥＴＣ車載機から当該自動支払いのための情報の送受において割引の適用拒否を通知されていない場合には、当該自動支払いが適用条件を満たす割引を適用した利用料金の自動支払いを受けることを特徴とするＥＴＣシステム。
【請求項９】
自動車に搭載される、ＥＴＣシステムを利用した有料道路の利用料金の自動支払いを行うＥＴＣ車載機を備えた車載システムにおいて、前記有料道路の利用料金の割引サービスの利用を制御する割引サービス利用制御方法であって、
自車が走行すると予測される経路上に、ＥＴＣシステムの利用者に対して提供される割引サービスによる割引であって、前記経路の走行に際して前記ＥＴＣ車載機による自動支払いを行った場合に当該割引の適用条件を満たす割引が設定されている有料道路区間が複数存在し、かつ、当該複数の有料道路区間に設定されている割引が重複して適用を受けることができないものであった場合に、前記複数の有料道路区間の一部の有料道路区間を前記割引の適用を受けない割引非利用区間として設定するステップと、
前記割引非利用区間についての利用料金の自動支払いを行わないよう前記ＥＴＣ車載機を制御するステップとを有することを特徴とする有料道路の割引サービス利用制御方法。
【請求項１０】
自動車に搭載される、利用料金について適用を受けることのできる割引の適用の有無を当該利用料金の自動支払いに際して選択できるＥＴＣシステムを利用した、前記自動支払いを行うＥＴＣ車載機を備えた車載システムにおいて、前記有料道路の利用料金の割引サービスの利用を制御する割引サービス利用制御方法であって、
自車が走行すると予測される経路上に、ＥＴＣシステムの利用者に対して提供される割引サービスによる割引であって、前記経路の走行に際して前記ＥＴＣ車載機による自動支払いを行った場合に当該割引の適用条件を満たす割引が設定されている有料道路区間が複数存在し、かつ、当該複数の有料道路区間に設定されている割引が重複して適用を受けることができないものであった場合に、前記複数の有料道路区間の一部の有料道路区間を前記割引の適用を受けない割引非利用区間として設定するステップと、
前記割引非利用区間についての割引の適用を受けないように前記ＥＴＣ車載機を制御するステップとを有することを特徴とする有料道路の割引サービス利用制御方法。
【発明の詳細な説明】
【技術分野】
【０００１】
本発明は、車載システムにおいて有料道路の利用を支援する技術に関するものである。
【背景技術】
【０００２】
車載システムにおいて有料道路の利用を支援する技術としては、ユーザから設定された目的地までの経路として、時間帯割引が適用される時間帯に有料道路を利用する経路をユーザに対して推奨する技術が知られている。
【特許文献１】特開2001-41760号公報
【発明の開示】
【発明が解決しようとする課題】
【０００３】
さて、目的地までの経路上に、割引サービスを排他的にしか利用できない複数の有料道路利用区間が存在する場合がある。
すなわち、たとえば、ＥＴＣシステムの利用者に対してのみ供される特定の時間帯割引サービスの内には、この時間帯割引サービスの利用可能回数が、当該時間帯割引の１適用時間帯あたり１回のみと制限されているものがある。そして、このような時間帯割引サービスが設定されている有料道路利用区間が、探索した目的地までの経路上に複数ある場合に、それぞれの有料道路利用区間を時間帯割引が適用される時間帯にＥＴＣシステムを利用しつつ走行したときには、最初に利用した有料道路利用区間についてのみ時間帯割引を受けられることになる。
【０００４】
しかしながら、このような場合において、最初に利用する有料道路利用区間の割引前料金よりも、その後に利用するいずれかの有料道路利用区間の割引前料金の方が高額である場合には、ＥＴＣシステムを利用するユーザは、利益が最大となるように、割引サービスを利用できない。このような場合には、最初に利用する有料道路利用区間について時間帯割引を受けるよりも、その後の最も割引前料金が高額の有料道路利用区間について時間帯割引の適用を受けた方が割引金額が大きくなるからである。
【０００５】
そこで、本発明は目的地までの経路上に割引サービスを排他的にしか利用できない複数の有料道路利用区間が存在する場合に、ユーザにとっての割引サービス利用の利益がより大きくなるよう、ユーザが有料道路を利用できるように支援することを課題とする。
【課題を解決するための手段】
【０００６】
前記課題達成のために、本発明は、ＥＴＣシステムを利用した有料道路の利用料金の自動支払いを行うＥＴＣ車載機と、自車が走行すると予測される経路上に、ＥＴＣシステムの利用者に対して提供される割引サービスによる割引であって、前記経路の走行に際して前記ＥＴＣ車載機による自動支払いを行った場合に当該割引の適用条件を満たす割引が設定されている有料道路区間が複数存在し、かつ、当該複数の有料道路区間に設定されている割引が重複して適用を受けることができないものであった場合に、適用を受ける割引による割引額が最大となるように、前記複数の有料道路区間のうちから前記割引の適用を受ける有料道路区間を割引利用区間として選定し、前記複数の有料道路区間のうちの前記割引利用区間以外の有料道路区間を割引非利用区間に設定する割引非利用区間設定手段と、前記割引非利用区間についての利用料金の自動支払いを行わないよう前記ＥＴＣ車載機を制御するＥＴＣシステム利用制限手段とを備えた、自動車に搭載される車載システムを提供する。なお、前記ＥＴＣシステム利用制限手段は、前記割引非利用区間についての利用料金の自動支払いを行う場合に、前記ＥＴＣ車載機が当該自動支払いの処理のための情報の送受を行うことになるゲートの通過の際に、前記ＥＴＣ車載機の機能が停止しているように、当該ＥＴＣ車載機の機能の停止/非停止を制御することにより、前記割引非利用区間についての利用料金の自動支払いを行わないよう前記ＥＴＣ車載機を制御するものであってもよい。
【０００７】
このような車載システムでは、自車が走行すると予測される経路を予測通りに走行した場合に、ＥＴＣシステムの利用者に対して設定されている割引サービスによる割引の適用を受けることのできる有料道路区間が複数あるが、当該複数の割引の適用を重複して受けることはできない場合には、適用を受ける割引による割引額が最大となるように割引の適用を受ける有料道路区間を選定する。そして、当該選定した有料道路区間での割引の適用が、他の有料道路区間での割引の適用によって阻害されないようにするために、当該他の有料道路区間についてはＥＴＣシステムを利用しないようにする。なお、このように、ＥＴＣシステムを利用しない有料道路区間については、ＥＴＣシステムの利用者に対して設定されている割引サービスによる割引が適用されることはない。
【０００８】
したがって、このような車載システムによれば、目的地までの経路上に割引サービスを排他的にしか利用できない複数の有料道路利用区間が存在する場合に、割引サービス利用の利益がより大きくなるよう、ユーザは、有料道路を利用できるようになる。
【０００９】
なお、このような車載システムによれば、一般レーンが存在せず、ＥＴＣレーンと、ＥＴＣシステムによる自動支払が優先されるＥＴＣ/一般共用レーンしか存在しないゲートにおいても、ユーザの特段の作業を必要とすることなしにＥＴＣシステムを利用した利用料金の自動支払を行わないようにすることができる。
【００１０】
なお、このような車載システムには、さらに、前記割引非利用区間についての利用料金の自動支払いに用いられる情報をＥＴＣ車載機との間で送受する有料道路のゲートに接近した際に、ＥＴＣシステムの非利用者が使用することのできるレーンを使用するようにユーザを誘導するレーン誘導手段を備えることが望ましい。
【００１１】
このようなレーン誘導手段を備えることにより、ＥＴＣシステムを利用しない有料道路区間について、ユーザが、ＥＴＣシステムを利用しない利用料金の支払いをスムーズに行えるように支援することができる。
また、本発明は、利用料金について適用を受けることのできる割引の適用の有無を当該利用料金の自動支払いに際して選択できるＥＴＣシステムを利用した、前記自動支払いを行うＥＴＣ車載機と、自車が走行すると予測される経路上に、ＥＴＣシステムの利用者に対して提供される割引サービスによる割引であって、前記経路の走行に際して前記ＥＴＣ車載機による自動支払いを行った場合に当該割引の適用条件を満たす割引が設定されている有料道路区間が複数存在し、かつ、当該複数の有料道路区間に設定されている割引が重複して適用を受けることができないものであった場合に、適用を受ける割引による割引額が最大となるように、前記複数の有料道路区間のうちから前記割引の適用を受ける有料道路区間を割引利用区間として選定し、前記複数の有料道路区間のうちの前記割引利用区間以外の有料道路区間を割引非利用区間に設定する割引非利用区間設定手段と、前記割引非利用区間についての割引の適用を受けないように前記ＥＴＣ車載機を制御する割引利用制限手段とを備えた、自動車に搭載される車載システムを提供する。
【００１２】
このような車載システムでは、自車が走行すると予測される経路を予測通りに走行した場合に、ＥＴＣシステムの利用者に対して設定されている割引サービスによる割引の適用を受けることのできる有料道路区間が複数あるが、当該複数の割引の適用を重複して受けることはできない場合には、適用を受ける割引による割引額が最大となるように割引の適用を受ける有料道路区間を選定する。そして、当該選定した有料道路区間での割引の適用が、他の有料道路区間での割引の適用によって阻害されないようにするために、ＥＴＣ車載機において、当該他の有料道路区間について自動支払を行う利用料金について、割引の適用を受けないようにする。
【００１３】
したがって、このような車載システムによれば、目的地までの経路上に割引サービスを排他的にしか利用できない複数の有料道路利用区間が存在する場合に、ユーザにとっての割引サービス利用の利益がより大きくなるよう、ユーザが有料道路を利用できるようになる。
【００１４】
ここで、より具体的には、本発明は、たとえば、このような車載システムと、前記ＥＴＣ車載機から前記自動支払いを受ける路側システムとを備えたＥＴＣシステムを次のように構成する。すなわち、前記車載システムの割引利用制限手段において、前記ＥＴＣ車載機が前記割引非利用区間についての前記自動支払いの処理のための情報の送受を前記路側システムと行う際に割引非利用モードを設定し、前記車載システムの前記ＥＴＣ車載機において、割引非利用モードが設定されている場合、前記路側システムとの前記割引非利用区間についての前記自動支払いのための情報の送受に際して割引の適用拒否を通知する。そして、前記路側システムにおいて、前記車載システムの前記ＥＴＣ車載機から前記有料道路の自動支払いを受ける際に、当該ＥＴＣ車載機から当該自動支払いのための情報の送受において割引の適用拒否を通知されている場合には、当該ＥＴＣ車載機からの割引を適用しない利用料金の自動支払いを受け、当該ＥＴＣ車載機から当該自動支払いのための情報の送受において割引の適用拒否を通知されていない場合には、当該自動支払いが適用条件を満たす割引を適用した利用料金の自動支払いを受けるようにする。
【００１５】
ここで、以上の各車載システムは、ユーザによって選定された目的地までの推奨される経路を推奨ルートとして設定し、推奨ルートに従ったユーザの走行を案内するナビゲーション装置を備え、前記自車が走行すると予測される経路を、前記推奨ルートとして設定された経路とするものであってもよい。
【００１６】
また、以上の各車載システムは、前記割引非利用区間設定手段を、前記割引非利用区間を、ユーザの操作に応じて設定するものとしてもよい。このようにしても、適当な操作を行うことにより、ユーザは、目的地までの経路上に割引サービスを排他的にしか利用できない複数の有料道路利用区間が存在する場合に、割引サービス利用の利益がより大きくなるよう、有料道路を利用できるようになる。
【発明の効果】
【００１７】
以上のように、本発明によれば、目的地までの経路上に割引サービスを排他的にしか利用できない複数の有料道路利用区間が存在する場合に、ユーザにとっての割引サービス利用の利益がより大きくなるよう、ユーザが有料道路を利用できるように支援することができる。
【発明を実施するための最良の形態】
【００１８】
以下、本発明の実施形態について説明する。
図１に、本実施形態に係る車載システムの構成を示す。
車載システム１は自動車に搭載されるシステムであり、図示するように、ＥＴＣ車載機１１、ナビゲーション装置１２、表示装置１３、音声出力装置１４、入力装置１５、入出力制御部１６、割引サービス利用制御部１７、料金情報記憶部１８とを備えている。
このような構成において、入出力制御部１６は、ＥＴＣ車載機１１やナビゲーション装置１２や割引サービス利用制御部１７と、表示装置１３や音声出力装置１４や入力装置１５との間の入出力を処理する。
また、ＥＴＣ車載機１１は、有料道路の入口ゲートや出口ゲートを通過の際にゲート近傍に設けられたＥＴＣ路側無線通信装置との間で、無線通信を介して、各種情報を送受し、当該ＥＴＣ車載機１１の有料道路の利用料金の自動支払いを行う。また、ＥＴＣ車載機１１は、有料道路利用料金や有料道路利用履歴の表示装置１３への表示や、これら有料道路利用料金や有料道路利用履歴を表す音声の音声出力装置１４への出力などを行う
また、ナビゲーション装置１２は、地図データを保持し、保持している地図データを用いた現在位置の算出や、入力装置１５を用いてユーザが選定した目的地までの間の推奨ルートの設定や、現在位置や推奨ルートを地図データが表す地図上で表す案内画像の表示装置１３への表示や、推奨ルートに沿った進路変更を案内する案内音声の音声出力装置１４への出力などを行う。
【００１９】
次に、料金情報記憶部１８には、有料道路の利用料金に関する各種情報が予め記憶される。
すなわち、料金情報記憶部１８には、標準料金テーブルと、割引サービス情報テーブルと、割引サービス重複時適用ルールテーブルが記憶される。
標準料金テーブルは、図２ａに示すように、有料道路の各区間毎のエントリを有し、各エントリには対応する区間の標準の（割引前の）利用料金が登録されている。
また、割引サービステーブルは、図２ｂに示すように、ＥＴＣシステムの利用者に対して提供される割引サービス毎のエントリを有し、各エントリには、対応する割引サービスの識別を表す割引サービス識別子、対応する割引サービスの種別を表す割引サービス種別、対応する割引サービスの割引の料率を表す割引率、対応する割引サービスの割引を適用するための適用条件とが登録される。ここで、適用条件としては、たとえば、対応する割引サービスの割引が適用される曜日を表す割引曜日、対応する割引サービスの割引が適用される時間帯を表す割引時間帯、対応する割引サービスの割引が適用される有料道路の区間を表す適用区間、その他の対応する割引サービスの割引が適用されるための条件を表すその他適用条件が登録される。
【００２０】
次に、割引サービス重複時適用ルールテーブルは、図２ｃに示すように、ＥＴＣシステムの利用者に対して提供される割引サービスの組み合わせの内の、重複して割引を適用することのできない割引サービスの組み合わせの各々についてのエントリを有する。そして、各エントリには、対応する割引サービスの組み合わせを割引サービス識別子などを用いて示す重複割引サービス情報と、対応する割引サービスの組み合わせに属する各割引サービスによる割引が、それぞれ割引情報サービステーブルの適用条件に従って重複して適用可能となった場合に、どの割引サービスによる割引を適用するかを定めるための適用割引サービス決定ルールとが登録されている。
【００２１】
すなわち、たとえば、ｑ時からｐ時の間に割引を適用する時間帯割引サービスＴの割引の適用が、各日のｑ時からｐ時の間で最先の１回のみと制限されている場合には、この割引サービス重複時適用ルールテーブルには、「単一割引時間帯における複数回のＴ」という割引サービスの組み合わせ」を示す重複割引サービス情報として持つエントリが設けられ、このエントリの適用割引サービス決定ルールは、「最先のＴ」となる。
【００２２】
さて、図１に戻り、割引サービス利用制御部１７は、割引サービス利用区間選定処理を行う。
図３に、この割引サービス利用区間選定処理の手順を示す。
図示するように、この処理では、まず、ナビゲーション装置１２による新たな推奨ルートの設定の発生を監視し（ステップ３０２）、新たな推奨ルートの設定が発生したならば、起動中の割引利用制限処理を停止し（ステップ３０４）、ステップ３０６に進む。割引利用制限処理が起動中でない場合には、そのままステップ３０６に進む。この割引利用制限処理については後述する。
【００２３】
ステップ３０６では、ナビゲーション装置１２から推奨ルートの情報を取得し、設定された推奨ルートに従って走行した場合に、割引サービスの割引を利用可能となる各有料道路区間と、各有料道路区間で利用可能となる割引サービスとを抽出する。そして、抽出した各有料区間について当該有料区間について抽出した当該種別の割引サービスによって受けられる割引の各々を利用割引候補として設定する。ここで、この割引サービスの割引を利用可能な有料道路区間と、当該有料道路区間で利用可能な割引サービスは次のようにして求める。すなわち、まず、推奨ルート上の各有料道路区間を抽出すると共に、推奨ルートに従った走行を現在開始した場合の各有料道路区間の走行予定曜日や走行予定時間帯を算出する。そして、抽出した各有料道路区間を算出した走行予定曜日の走行予定時間帯に走行した場合に満たされることになる適用条件が登録されているエントリを割引サービステーブルから探索し、エントリの探索が成功した有料道路区間を、割引サービスの割引を利用可能な有料道路区間とし、当該有料道路区間について探索したエントリに登録されている割引サービス識別子が示す割引サービスを当該有料道路区間で利用可能な割引サービスとする。
【００２４】
次に、排他的にしか利用できない複数の利用割引候補、すなわち、重複して割引の適用を受けることのできない複数の利用割引候補が存在するかどうかを調べる（ステップ３０８）。なお、ここでは、利用割引候補の組み合わせであって、組み合わせ内の各利用割引候補の割引を提供する割引サービスの組み合わせが、割引サービス重複時適用ルールテーブルの任意のエントリに登録された割引サービスの組み合わせに一致する、利用割引候補の組み合わせが存在する場合に、排他的にしか利用できない複数の利用割引候補が存在すると判定する。
【００２５】
そして、排他的にしか利用できない複数の利用割引候補の組が存在しない場合、すなわち、全ての利用割引候補の割引を利用可能である場合には、ステップ３０２に戻り、次の推奨ルートの設定を待つ。
一方、排他的にしか利用できない複数の利用割引候補が存在する場合には、重複して利用可能な利用割引候補の組み合わせを、各利用割引候補の割引を提供する割引サービスに基づいて割引サービス重複時適用ルールテーブルを参照して求める。そして、求めた利用割引候補の組み合わせのうちから、組み合わせに含まれる各利用割引候補の割引を利用した場合の割引金額の合計が最大となる利用割引候補の組み合わせを選定し、選定した利用割引候補の組み合わせに含まれる利用割引候補を利用割引として設定する。また、利用割引以外の全ての利用割引候補を非利用割引として設定する（ステップ３１０）。なお、各利用割引候補の割引を利用した場合の割引金額は、標準料金テーブルの、当該利用割引候補の割引を利用可能な有料道路区間に相当する区間が登録されたエントリに登録された標準料金と、割引サービステーブルの、当該利用割引候補の割引を提供する割引サービスのエントリに登録された割引率より算出する。
【００２６】
そして、表示装置１３を用いて利用割引候補と非利用割引候補を情報（たとえば、対応する割引が利用できる有料道路区間や、対応する割引を利用した場合の割引金額）をユーザに提示し（ステップ３１２）、ユーザの承認を求める。
そして、ユーザから入力装置１５を介して承認を受けることができたならば（ステップ３１４）、非利用割引の割引を受けることのできる有料道路区間を割引非利用区間に設定し（ステップ３１６）、前述した割引利用制限処理を起動する（ステップ３１８）。そして、ステップ３０２に戻り、次の推奨ルートの設定を待つ。
【００２７】
一方、ユーザから承認を受けることができなかった場合には、各利用割引候補の情報を表示装置１３に表示すると共に、入力装置１５を介したユーザの利用割引選定操作を、排他的にしか利用できない複数の利用割引候補が共に利用割引として選定されないように受け付け、受け付けた利用割引選定操作で選定された利用割引候補を利用割引として再設定すると共に、利用割引として選定されなかった他の全ての利用割引候補を非利用割引として再設定する（ステップ３１８）。そして、非利用割引の割引を受けることのできる有料道路区間を割引非利用区間に設定し（ステップ３１６）、前述した割引利用制限処理を起動する（ステップ３１８）。そして、ステップ３０２に戻り、次の推奨ルートの設定を待つ。
【００２８】
以上、割引サービス利用区間選定処理について説明した。
なお、以上の割引サービス利用区間選定処理は、ナビゲーション装置１２が設定した推奨ルートに代えて、他のルート、たとえば、ユーザが指定したルートを対象として以上の処理を行うようにしてもよい。
次に、割引サービス利用区間選定処理のステップ３１８において起動する割引利用制限処理について説明する。
図４ａに示すように、割引サービス利用制御部１７は、この割引利用制限処理において、ナビゲーション装置１２から現在位置の情報を取得すると共に、先に取得した推奨ルートの情報に基づいて、自車が割引非利用区間に所定距離内に接近するのを待つ（ステップ４０２）。そして、自車が割引非利用区間に所定距離内に接近したならば、ＥＴＣ車載機１１の電源をオフすることなどにより、ＥＴＣ車載機１１の機能を停止する（ステップ４０４）。ここで、ＥＴＣ車載機１１は機能を停止している期間中、有料道路利用に際して、ＥＴＣシステムを利用した利用料金支払はできなくなる。
【００２９】
そして、ＥＴＣ車載機１１の機能を停止したならば、ナビゲーション装置１２の機能を利用して、有料道路の入口ゲートや出口ゲートなどのゲートへの自車の接近の発生と（ステップ４０６）、割引非利用区間の料金徴収に利用される全てのゲートの自車の通過の発生（ステップ４０８）とを監視する。
【００３０】
そして、ゲートへの自車の接近が発生した場合には（ステップ４０６）、音声出力装置１４から、非ＥＴＣ用レーン（一般レーン又はＥＴＣ/一般共用レーン）を利用するようユーザを案内する案内音声を出力し、ステップ４０６、４０８の監視に戻る。ここで、この案内音声は、接近したゲートが入口ゲートであれば、たとえば、「ＥＴＣを利用しません。一般レーンに進んで、通行券をお取り下さい」といった案内音声とし、接近したゲートが出口ゲートであれば、たとえば、「ＥＴＣを利用しません。一般レーンに進んで、料金をお支払い下さい」といった案内音声とする。
【００３１】
一方、割引非利用区間の料金徴収に利用される全てのゲートの自車の通過が発生した場合には（ステップ４０８）、ＥＴＣ車載機１１の電源を再投入することなどにより、ＥＴＣ車載機１１の機能を再稼働し（ステップ４１０）、処理を終了する。ここで、ＥＴＣ車載機１１の機能を再稼働されると、有料道路利用に際して、ＥＴＣシステムを利用した利用料金支払が可能となる。
【００３２】
以上、割引サービス利用制御部１７の動作について説明した。
なお、割引サービス利用制御部１７は、以上の処理の他、ＥＴＣ車載機１１の機能を停止していない期間中に有料道路のゲートに接近した場合には、ＥＴＣレーンを利用するユーザを案内する音声、たとえば、「ＥＴＣを利用します。ＥＴＣレーンに進んで下さい」といった案内音声を出力する処理なども行う。
【００３３】
ここで、以上のような割引サービス利用制御部１７の動作による、有料道路の利用例を図５に示す。
まず、図５ａは、現在地点Ｘから、ユーザが設定した経由地Ｙを経由してユーザが設定した目的地Ｚに至る推奨ルートとして、現在地点Ｘから入口ゲートＡを通って、有料道路５００に進入し、入口ゲートＡと出口ゲートＢの間の距離５０Ｋｍ、標準の利用料金１４００円の区間Ａを利用した後、出口ゲートＢから一般道に進んで経由地Ｙを経由した後、再度、入口ゲートＣを通って、有料道路５００に進入し、入口ゲートＣと出口ゲートＤの間の距離９９Ｋｍ、標準の利用料金２６００円の区間Ｂを利用し、その後、出口ゲートＤから一般道に進んで目的地Ｚに至る経路が設定された場合を示したものである。
【００３４】
ここで、この有料道路５００の区間Ａと区間Ｂを含む区間について、１７時から２１時までを適用時間帯とし、利用区間が１００ｋｍ以内の区間であることを、その他適用条件とする割引サービスがＥＴＣシステムの利用者に対して設定されているものとする。また、この割引サービスにより割引の利用は、各日において、１７時から２１時までの間で、最初の一度のみに制限されているものとする。
【００３５】
この場合、図示するように、区間Ａの走行予定時間帯が１６時３０分から１７時１１分であり、区間Ｂの走行予定時間帯が１７時５８分から１８時５０分であるときには、上記制限を考慮しない場合、区間Ａと区間Ｂの双方において割引サービスの割引が利用可能となる。したがって、この場合には、割引サービス利用区間選定処理によって、区間Ａにおいて利用可能な割引と区間Ｂにおいて利用可能な割引との双方が利用割引候補として選定される。また、この二つの利用割引候補の割引は、上記制限より、重複して利用できないので、この場合には、割引サービス利用区間選定処理では、より利用料金が高い、したがって、より割引金額が大きい区間Ｂにおいて利用可能な割引を利用割引として設定し、残る区間Ａにおいて利用可能な割引を非利用割引として設定することになる。そして、非利用割引として設定した割引が適用される区間Ａが、割引非利用区間として設定される。
【００３６】
さて、このように割引非利用区間が設定された後に、地点Ｘより推奨ルートに沿った走行を開始すると、入り口ゲートＡに接近した時点で、割引利用制限処理によって割引非利用区間への接近が検知されＥＴＣ車載機１１の機能が停止される。また、さらに入口ゲートに接近すると、非ＥＴＣ用レーン（一般レーン又はＥＴＣ/一般共用レーン）の利用を案内する案内音声が出力される。そこで、ユーザは、入り口ゲートＡでは非ＥＴＣ用レーンから有料道路５００の区間Ａに進入する。次に、区間Ａを走行して出口ゲートＢに接近すると、再度、非ＥＴＣ用レーン（一般レーン又はＥＴＣ/一般共用レーン）の利用を案内する案内音声出力される。そこで、ユーザは、出口ゲートＢに非ＥＴＣ用レーンを走行して進み、区間Ａの利用料金を係員に現金やクレジットなど、ＥＴＣシステムを利用しない形態で支払う。ここで、この区間Ａについては、このようにＥＴＣシステムを利用していないので、前述した割引サービスによる区間Ａについての割引は受けられない。
【００３７】
次に、ユーザが、出口ゲートＢを通過すると、割引利用制限処理によって割引非利用区間の料金徴収に利用される全てのゲートの自車の通過が検出され、ＥＴＣ車載機１１が再稼働される。
そして、その後、ユーザが経由地Ｙを経由して入口ゲートＣに近づくとＥＴＣレーンの利用を案内する案内音声が出力される。そして、ユーザが入口ゲートＣのＥＴＣレーンを通過し、区間Ｂを走行して出口ゲートＤに近づくと、再び、ＥＴＣレーンの利用を案内する案内音声が出力される。そして、この案内音声に従って、ユーザは、出口ゲートＤのＥＴＣレーンを通過する。一方、この入口ゲートＣと出口ゲートＤの走行に際して、ＥＴＣ車載機１１によって入口ゲートＣと出口ゲートＤとに設置されたＥＴＣ路側無線通信装置と所要の無線通信による送受信が行われ、ＥＴＣシステムを利用した区間Ｂの利用料金の自動支払いが行われる。ここで、この自動支払いに際しては、前述した割引サービスによる区間Ｂについての割引が、当該割引が当該最初の割引サービスの利用であることにより適用されることになる。
【００３８】
なお、サービス利用制御部において、図５ａに示すような推奨ルートが設定されている場合、経由地Ｙに到着した時点で、区間Ｂの割引を利用するために遅くともそれまでに経由地Ｙを出発する必要のある時刻をユーザに告知するようにすることが好ましい。なお、この場合、当該時刻は、たとえば、割引適用時間帯の終了時刻から、経由地Ｙから入口ゲートＣに至るまでの所要時間に所定のマージンを加えた時間分、過去に進んだ時刻として求まる。
【００３９】
次に、図５ｂは、現在地点Ｘから入口ゲートＡを通って、有料道路５１０に進入し、入口ゲートＡと乗換ゲートＢの間の距離５０Ｋｍ、標準の利用料金１４００円の区間Ａを利用した後、乗換ゲートＢを通過して有料道路５２０に進んで、乗換ゲートＢと乗換ゲートＣの間の距離６０Ｋｍ、標準の利用料金１６００円の区間Ｂを利用した後に、乗換ゲートＣを通過して有料道路５３０に進み、乗換ゲートＣと出口ゲートＤの間の距離９９Ｋｍ、標準の利用料金２６００円の区間Ｃを利用し、その後、出口ゲートＤから一般道に進んで目的地Ｚに至る経路が設定された場合を示したものである。
【００４０】
なお、乗換ゲートＢは、有料道路５１０の出口ゲートと有料道路５２０の入口ゲートを兼ねたゲートであり、乗換ゲートＣは有料道路５２０の出口と有料道路５３０の入口ゲートを兼ねたゲートである。
ここで、この有料道路５１０と有料道路５３０は同じ事業者の有料道路であり、有料道路５２０は他の事業者の有料道路である。
そして、有料道路５１０と有料道路５３０には、ＥＴＣシステムの利用者に対する共通の割引サービスとして、１７時から２１時までを適用時間帯とし、利用区間が１００ｋｍ以内の区間であることを、その他適用条件とする割引サービスが設定されているものとする。また、この割引サービスにより割引の利用は、利用する有料道路に関わらずに、各日において、１７時から２１時まで間の、最初の一度のみに制限されているものとする。
【００４１】
一方、有料道路５２０には、利用可能な割引サービスは適用されていないものとする。
この場合、図示するように、区間Ａの走行予定時間帯が１６時３０分から１７時１１分であり、区間Ｃの走行予定時間帯が１７時５８分から１８時５０分であるときには、上記制限を考慮しない場合、図５ａの場合と同様に、区間Ａと区間Ｃの双方において割引サービスの割引が利用可能となる。また、図５ａの場合と同様に、区間Ａと区間Ｃのうちの、割引の適用を受けた場合に最も大きな割引金額となる区間ではない区間Ｃが、割引非利用区間として設定される。
【００４２】
そして、これにより、ユーザは区間Ａと区間Ｂについては利用料金を係員に現金やクレジットなど、ＥＴＣシステムを利用しない形態で支払い、区間Ｃについてのみ、ＥＴＣシステムを利用した利用料金の自動支払いが行われることになる。そして、この区間Ｃについての利用料金の自動支払いに際して、前述した割引サービスによる区間Ｃについての割引が適用されることになる。
【００４３】
以上、本発明の実施形態について説明した。
ところで、以上の実施形態では、図３で示した割引サービス利用区間選定処理で設定した割引非利用区間について、図４ａで示した割引利用制限処理によってＥＴＣシステムを利用した利用料金の支払を行わないようにすることにより、当該割引非利用区間についてＥＴＣシステムの利用者に対して提供される割引を利用しないようにした。
【００４４】
しかし、これは、ＥＴＣシステムを、ＥＴＣ車載機１１が割引の適用の有無を選択できるように構成すると共に、ＥＴＣ車載機１１を用いて、図３で示した割引サービス利用区間選定処理で設定した割引非利用区間について、ＥＴＣシステムを利用した利用料金の支払を行いつつ、当該該割引非利用区間についての割引を利用しないようにしてもよい。
【００４５】
すなわち、この場合には、ＥＴＣシステムを図６に示すように構成する。
図示するように、このＥＴＣシステムは、有料道路の入口ゲートや出口ゲートなどの各ゲートに設置されるＥＴＣ路側無線通信装置２と各路側無線通信装置２と接続した課金システム３とよりなる路側システムと、各自動車に搭載される図１に構成を示した車載システム１とより構成される。
【００４６】
また、課金システム３は、料金算定部３１と、利用履歴データベース３２と、料金テーブル３３と、割引サービステーブル３４と、課金情報蓄積部３５とを有する。
このようなＥＴＣシステムの構成において、図６に示す有料道路の区間Ａを自車が利用する場合、車載システム１のＥＴＣ車載機１１は、区間Ａへの進入に際して通過する入口ゲートＧＡの通過の際に、入口ゲートＧＡに設置されたＥＴＣ路側無線通信装置２と無線通信を行い、入口ゲートＧＡの識別子や現在時刻を含む利用開始情報を取得しＥＴＣ車載機１１において記憶する。そして、車載システム１のＥＴＣ車載機１１は、区間Ａからの退出に際して通過する出口ゲートＧＢの通過に際して、出口ゲートＧＢに設置されたＥＴＣ路側無線通信装置２と無線通信を行い、ＥＴＣ車載機１１の識別やＥＴＣ車載機１１の利用者の識別を表す利用者情報と、記憶しておいた利用開始情報とを出口ゲートＧＢに設置されたＥＴＣ路側無線通信装置２に送信する。また、ＥＴＣ車載機１１は、この利用者情報や利用開始情報の送信に際して、併せて割引適用除外要求を選択的に送信することができる。
【００４７】
さて、出口ゲートＧＢに設置されたＥＴＣ路側無線通信装置２は、ＥＴＣ車載機１１から利用者情報と利用開始情報を受信したならば、自身が設置された出口ゲートＧＢの識別子や現在時刻を含む利用終了情報を作成し、受信した利用開始情報と利用終了情報とよりなる利用情報を生成する。そして、受信した利用者情報と共に生成した利用情報を課金システム３に送信する。また、割引適用除外要求を、ＥＴＣ車載機１１から受信している場合には、この割引適用除外要求を、利用者情報と利用情報に伴わせて課金システム３に送信する。
【００４８】
課金システム３の料金算定部３１は、ＥＴＣ路側無線通信装置２から利用者情報と利用情報とを受け取ると、料金テーブル３３と割引サービステーブル３４を参照し、利用情報が示す区間Ａの利用に対して課金すべき利用料金を算出し、料金情報として、ＥＴＣ路側無線通信装置２に応答する。また、利用料金算出において割引を適用したか否かを表す情報を利用情報に加えた情報を利用履歴データベース３２に、利用者情報が表す利用者の利用履歴として格納する。また、料金情報を利用情報と共に、利用者情報が表す利用者の課金情報として課金情報データベースに格納する。なお、課金情報データベースに格納された課金情報に基づいて、後に、利用者と間の利用料金の精算が行われることになる。
【００４９】
ここで、この利用料金の算出は、利用者情報と利用情報が割引適用除外要求を伴っている場合には、利用情報から区間Ａの利用を認知すると共に、この区間Ａの標準料金を、各区間と標準利用料金との対応が登録さている料金テーブル３３から求め、求めた標準料金を利用料金として算出することにより行う。
【００５０】
一方、利用者情報と利用情報が割引適用除外要求を伴っていない場合には、利用料金の算出は、次のように行う。すなわち、まず、上述のように料金テーブル３３から区間Ａの標準料金を求める。また、利用情報に基づいて、今回の区間Ａの利用に対して割引を適用できる割引サービスが存在するかどうかを、各種割引サービスの内容を登録した割引サービステーブル３４と、利用者情報が表す利用者の利用履歴データベース３２に格納されている利用履歴とを参照して調べる。そして、適用できる割引がなければ、求めた標準料金を利用料金として算出し、適用できる割引があれば求めた標準料金に当該割引を適用した料金を利用料金として算出する。
【００５１】
さて、料金情報を受け取ったＥＴＣ路側無線通信装置２は、これをＥＴＣ車載機１１に中継し、ＥＴＣ車載機１１は、受け取った料金情報が示す利用料金を表す音声を音声出力装置１４から出力する処理などを行う。
このようにすることにより、ＥＴＣ車載機１１が、ＥＴＣシステムを利用した利用料金の支払を行いつつ、割引適用除外要求の送信の有無によって、当該利用料金についての割引の利用を任意に選択することができるようになる。
そこで、ＥＴＣ車載機１１は、図４ａで示した割引利用制限処理に代えて図４ｂに示す割引利用制限処理を行い、図３で示した割引サービス利用区間選定処理で設定した割引非利用区間について、ＥＴＣシステムを利用した利用料金の支払を行いつつ、当該該割引非利用区間についての割引を利用しないようにする。
【００５２】
すなわち、ＥＴＣ車載機１１の割引サービス利用制御部１７は、割引利用制限処理において、図４ｂに示すように、自車が割引非利用区間に所定距離内に接近するのを待つ（ステップ４５２）。そして、自車が割引非利用区間に所定距離内に接近したならば、ＥＴＣ車載機１１に割引サービス利用拒否モードを設定する（ステップ４５４）。そして、割引非利用区間の料金徴収に利用される全てのゲートの自車の通過の発生を待って（ステップ４５６）、ＥＴＣ車載機１１の割引サービス利用拒否モードを解除する（ステップ４５８）。
【００５３】
ここで、ＥＴＣ車載機１１は、割引サービス利用拒否モードが設定されている期間中、前述した割引適用除外要求を、出口ゲートにおける利用者情報や利用開始情報のＥＴＣ路側無線通信装置２の送信に際して併せて送信する。したがって、ＥＴＣ車載機１１に割引サービス利用拒否モードが設定されている期間、ＥＴＣシステムを利用した有料道路の利用料金の支払いに際して割引の適用は受けることができない。なお、ＥＴＣ車載機１１に割引サービス利用拒否モードが設定されている期間でも、ＥＴＣシステムを利用した有料道路の利用料金の支払いは行うことができる。
【００５４】
このような割引利用制限処理の結果、図５ａに示した推奨ルートを走行する場合には、区間Ａと区間Ｂの双方についてＥＴＣシステムを利用した有料道路の利用料金の支払いが行われるが、区間Ａについては割引適用除外要求がＥＴＣ車載機１１から送信されるため割引は適用されなお。そして、この結果、より割引金額の大きい区間Ｂについての割引の適用を受けることができるようになる。
【００５５】
また、図５ｂに示した推奨ルートを走行する場合には、区間Ａ、区間Ｂ、区間Ｃの全てについてＥＴＣシステムを利用した有料道路の利用料金の支払いが行われるが、区間Ａについては割引適用除外要求がＥＴＣ車載機１１から送信されるため割引は適用されず、この結果、より割引金額の大きい区間Ｃについての割引の適用を受けることができるようになる。
【００５６】
以上のように、本実施形態によれば、ユーザは、重複して適用を受けることができない割引が複数存在する場合に、最も割引金額の大きい割引を利用することができるようになる。
なお、図３に示した割引サービス利用区間選定処理の、ステップ３１０以降の処理は、各利用割引候補の情報を表示装置１３に表示すると共に、入力装置１５を介したユーザの利用割引の利用割引候補のうちからの選定操作を、排他的にしか利用できない複数の利用割引候補が共に利用割引として選定されないように受け付け、受け付けた利用割引選定操作で選定された利用割引候補を利用割引を設定すると共に、利用割引として選定されなかった他の全ての利用割引候補を非利用割引として設定すると共に、非利用割引の割引を受けることのできる有料道路区間を割引非利用区間に設定し、前述した割引利用制限処理を起動する処理としてもよい。
【００５７】
このようにしても、重複して適用を受けることができない割引が複数存在する場合に、ユーザが適切に利用割引を選定することにより、最も割引金額の大きい割引を利用することができるようになる。
【図面の簡単な説明】
【００５８】
【図１】本発明の実施形態に係る車載システムの構成を示すブロック図である。
【図２】本発明の実施形態に係る車載システムの料金情報記憶部に記憶する情報を示す図である。
【図３】本発明の実施形態に係る車載システムにおいて行う割引サービス利用区間選定処理を示すフローチャートである。
【図４】本発明の実施形態に係る車載システムにおいて行う割引利用制限処理を示すフローチャートである。
【図５】本発明の実施形態に係る車載システムを用いた有料道路の利用例を示す図である。
【図６】本発明の実施形態に係るＥＴＣシステムの構成を示すブロック図である。
【符号の説明】
【００５９】
１…車載システム、２…ＥＴＣ路側無線通信装置、３…課金システム、１１…ＥＴＣ車載機、１２…ナビゲーション装置、１３…表示装置、１４…音声出力装置、１５…入力装置、１６…入出力制御部、１７…割引サービス利用制御部、１８…料金情報記憶部、３１…料金算定部、３２…利用履歴データベース、３３…料金テーブル、３４…割引サービステーブル、３５…課金情報蓄積部。
【図１】
2007249628.tif 000003
【図２】
2007249628.tif 000004
【図３】
2007249628.tif 000005
【図４】
2007249628.tif 000006
【図５】
2007249628.tif 000007
【図６】
2007249628.tif 000008